(57)【要約】複数の物品を収容するためのカートン。カートンは、カートンの内部に少なくとも部分的に延在する複数のパネルを有する。複数のパネルは、上部パネル、底部パネル、第１の側面パネル、および第２の側面パネルを含む。少なくとも２つの末端フラップはそれぞれ、複数のパネルのそれぞれのパネルに折り畳み可能なように取り付けられる。末端フラップはお互いに重なり、それによりカートンの閉端を少なくとも部分的に形成する。カートンは、カートンの閉端にある取っ手を含み、カートンをつかみ運ぶための取っ手開口部を有する。上記の少なくとも２つの末端フラップのうち少なくとも１つの末端フラップは、カートンの閉端を少なくとも部分的に閉じるための主要パネル、および前記主要パネルに折り畳み可能なように取り付けられる強化パネルを有する。【特許請求の範囲】
【請求項１】
複数の物品を収容するためのカートンであって、
前記カートンの内部に少なくとも部分的に延在する複数のパネルであって、前記複数のパネルは上部パネル、底部パネル、第１の側面パネル、および第２の側面パネルを備える複数のパネルと、
前記複数のパネルのそれぞれのパネルに、折り畳み可能なようにそれぞれ取り付けられる少なくとも２つの末端フラップであって、前記末端フラップはお互いに重なり、それにより前記カートンの閉端を少なくとも部分的に形成する少なくとも２つの末端フラップと、
前記カートンをつかみ運ぶための取っ手開口部を有する、前記カートンの前記閉端にある取っ手と、
を備え、前記少なくとも２つの末端フラップのうち、少なくとも１つの末端フラップは、前記カートンの前記閉端を少なくとも部分的に閉じるための主要パネル、および前記主要パネルと連携し前記取っ手開口部を形成するため、前記主要パネルに折り畳み可能なように取り付けられる強化パネルを備える、前記カートン。
【請求項２】
前記主要パネルに折り畳み可能なように取り付けられる拡張パネルをさらに備える、請求項１に記載のカートン。
【請求項３】
少なくとも１つの前記強化パネルおよび拡張パネルが、前記主要パネル、および前記主要パネルに重なっている前記末端パネルの間に配置される、前記請求項２に記載のカートン。
【請求項４】
前記少なくとも１つの末端フラップが２つの末端フラップを備え、前記２つの末端フラップが、前記第１の側面パネルに折り畳み可能なように取り付けられる第１の側面末端フラップ、および前記第２の側面パネルに折り畳み可能なように取り付けられる第２の側面末端フラップを備える、請求項１に記載のカートン。
【請求項５】
前記第１および第２の各側面末端フラップが、それぞれの主要パネルおよびそれぞれの強化パネルを備える、請求項４に記載のカートン。
【請求項６】
前記取っ手が前記第１の側面末端フラップの前記強化パネル内に取っ手切り込み、および前記第２の側面末端フラップの前記強化パネル内に取っ手切り込みを備える、請求項５に記載のカートン。
【請求項７】
前記取っ手が前記第１の側面末端フラップの前記主要パネルに取っ手切り込み、および前記第２の側面末端フラップの前記主要パネルに取っ手切り込みを備える請求項６に記載のカートン。
【請求項８】
前記２つの末端フラップの前記それぞれの取っ手切り込みそれぞれが、前記取っ手開口部を形成するために連携する、請求項７に記載のカートン。
【請求項９】
前記少なくとも２つの末端フラップが、前記上部パネルに折り畳み可能なように取り付けられる上部末端フラップをさらに備える、請求項６に記載のカートン。
【請求項１０】
前記上部末端フラップに折り畳み可能なように取り付けられ、前記取っ手開口部を形成するために、前記取っ手切り込みと実質的に合わせられる取っ手フラップを前記取っ手が備える、請求項９に記載のカートン。
【請求項１１】
前記拡張パネルが下向きに折り畳まれる、請求項９に記載のカートン。
【請求項１２】
少なくとも前記拡張パネルおよび前記強化パネルのうち１つがが、前記主要パネルに固定される、請求項１１に記載のカートン。
【請求項１３】
請求項１に記載のカートンであって、
前記末端が第１の末端であり、
前記末端フラップが、前記閉じた第１の閉端を形成するため、お互いに重なっている第１の末端フラップであり、
前記カートンが、前記複数のパネルのそれぞれのパネルに折り畳み可能なようにそれぞれ取り付けられる少なくとも２つの第２の末端フラップをさらに含み、前記第２の末端フラップは前記カートンの第２の閉端を少なくとも部分的に形成するため、お互いに重なっている、前記カートン。
【請求項１４】
前記取っ手が第１の取っ手であり、前記カートンが第２の閉端に第２の取っ手をさらに備える、請求項１３に記載のカートン。
【請求項１５】
前記複数の物品と組み合わせて、複数の物品が前記カートン内で垂直位置に配置される瓶を含む、請求項１に記載のカートン。
【請求項１６】
カートンを形成するためのブランクであって、
上部パネル、底部パネル、第１の側面パネル、および第２の側面パネルを備える複数のパネルと、
前記複数のパネルの個別のパネルに折り畳み可能なようにそれぞれ取り付けられる、少なくとも２つの末端フラップと、
前記少なくとも２つの末端フラップ内の特徴部であって、前記特徴部は前記ブランクから組み立てられるカートン内で取っ手開口部を少なくとも部分的に画定するため、連携するためのものである特徴部と、
を備え、前記少なくとも２つの末端フラップの少なくとも１つの末端フラップは、前記ブランクから組み立てられるカートンの末端を少なくとも部分的に閉じるための前記主要パネル、および前記パネルに折り畳み可能なように取り付けられる主要強化パネルを備え、前記強化パネルおよび前記主要パネルは前記取っ手開口部を少なくとも部分的に形成するためそれぞれ特徴部を有する、ブランク。
【請求項１７】
前記主要パネルに折り畳み可能なように取り付けられる拡張パネルをさらに備える、請求項１６に記載のブランク。
【請求項１８】
前記取っ手を少なくとも部分的に画定するため、前記拡張パネルが前記主要パネル内の特徴部と接触しない、請求項１７に記載のブランク。
【請求項１９】
前記少なくとも１つの末端フラップが２つの末端フラップを備え、前記２つの末端フラップが、前記第１の側面パネルに折り畳み可能に取り付けられる第１の側面末端フラップ、および前記第２の側面パネルに折り畳み可能なように取り付けられる第２の側面末端フラップを備える、請求項１６に記載のブランク。
【請求項２０】
前記第１および第２の各側面末端フラップが、それぞれの主要パネルおよび個別の強化パネルを備える、請求項１９に記載のブランク。
【請求項２１】
前記特徴部が、前記第１の側面末端フラップおよび前記第２の側面末端フラップ各々の前記主要パネルにそれぞれの取っ手切り込み、ならびに前記第１の側面末端フラップおよび前記第２の側面末端フラップ各々の前記強化パネルにそれぞれの取っ手切り込みを備える、請求項２０に記載のブランク。
【請求項２２】
前記少なくとも２つの末端フラップが、前記上部パネルに折り畳み可能なように取り付けられる上部末端フラップをさらに備える、請求項２１に記載のブランク。
【請求項２３】
前記取っ手開口部を形成するため、前記上部末端フラップに折り畳み可能なように取り付けられる取っ手フラップを、前記特徴部が備える、請求項２２に記載のブランク。
【請求項２４】
前記ブランクから組み立てられたカートンを閉じる際、前記拡張パネルが前記上部末端フラップと係合することにより下向きに折り畳まれるためのものである、請求項２２に記載のブランク。
【請求項２５】
カートンを組み立てる方法であって、
上部パネル、底部パネル、第１の側面パネル、および第２の側面パネルを備える複数のパネル、前記カートンの第１の末端で少なくとも１つの前記側面末端パネルに折り畳み可能なように取り付けられる少なくとも１つの側面末端フラップ、前記第１の末端で前記上部パネルに折り畳み可能なように取り付けられる少なくとも１つの上部末端フラップ、ならびに前記上部末端フラップおよび前記少なくとも１つの側面末端フラップで、少なくとも一部分において形成される取っ手を備えるカートンを提供するステップであって、前記少なくとも１つの側面末端フラップは、前記カートンの閉端を少なくとも部分的に形成する主要パネル、および前記主要パネルに折り畳み可能なように取り付けられる強化パネルを備えるステップと、
前記カートンの前記第１の末端を少なくとも部分的に閉じるため、前記少なくとも１つの側面末端フラップを折り畳むステップと、
前記取っ手を少なくとも部分的に形成するため、少なくとも部分的に前記第１の末端を閉じる間、前記側面末端フラップの前記主要パネルを少なくとも部分的に重ねるため、前記第２の強化パネルを上向きに折り畳むステップと、
前記カートンの前記第１の閉端を少なくとも部分的に形成するため、前記上部末端フラップを下向きに折り畳む位置で固定するステップと、
を備える方法。
【請求項２６】
前記カートンが、前記主要パネルに折り畳み可能なように取り付けられる拡張パネルをさらに備え、前記方法により、前記の少なくとも部分的に前記第１の末端を閉じる間、前記拡張パネルを接触させるため前記上部末端フラップを下向きに折り畳み、前記強化パネルを少なくとも部分的に重ねるため前記拡張パネルを下向きに折り畳む、請求項２５に記載の方法。
【請求項２７】
前記主要パネルに前記強化パネルを固定するステップをさらに備える、請求項２６に記載の方法。
【請求項２８】
前記強化パネルに前記拡張パネルを固定するステップをさらに備える、請求項２７に記載の方法。
【請求項２９】
前記少なくとも１つの側面末端フラップが２つの側面末端フラップを備える、請求項２５に記載の方法。
【請求項３０】
前記取っ手が前記上部パネルに折り畳み可能なように取り付けられる取っ手フラップ、ならびに前記２つの側面末端フラップの前記主要パネルおよび前記強化パネル各々にそれぞれ取っ手切り込みを備え、前記方法により、前記カートンの取っ手開口部を形成するため、前記取っ手フラップを前記取っ手切り込み内へ折り畳むステップをさらに備える、請求項２９に記載の方法。
【請求項３１】
前記カートンが前記カートンの前記第２の末端に複数の末端フラップを備え、前記方法により、前記カートンの前記第２の末端を少なくとも部分的に閉じるため、前記第２の末端で前記複数の末端フラップを重ねるステップをさらに備える、請求項２５に記載の方法。
【請求項３２】
複数の物品を収容するためのカートンであって、
複数のパネルと、
前記複数のパネルのそれぞれのパネルに折り畳み可能なように取り付けられる少なくとも１つの末端フラップと、
前記カートンをつかみ運ぶための取っ手開口部を有する取っ手と、
を備え、前記少なくとも１つの末端フラップは、主要パネルおよび前記主要パネルに折り畳み可能なように取り付けられる強化パネルを備える、前記カートン。
【請求項３３】
カートン形成するためのブランクであって、
複数のパネルと、
前記複数のパネルのそれぞれのパネルに折り畳み可能なように取り付けられる少なくとも１つの末端フラップと、
前記少なくとも１つの末端フラップにある特徴部であって、前記特徴部は前記ブランクから組み立てられるカートン内で取っ手開口部を少なくとも部分的に画定するため、連携するためのものである特徴部と、
を備え、前記少なくとも１つの末端フラップは、主要パネルおよび前記主要パネルに折り畳み可能なように取り付けられる強化パネルを備える、前記ブランク。
【請求項３４】
カートンを組み立てる方法であって、
少なくとも１つの側面パネル、前記少なくとも１つの側面パネルに折り畳み可能なように取り付けられる少なくとも１つの側面末端フラップ、および前記少なくとも１つの側面末端フラップで少なくとも１部分に形成される取っ手を備えるカートンを提供するステップであって、前記少なくとも１つの側面末端フラップは、主要パネルおよび前記主要パネルに折り畳み可能なように取り付けられる強化パネルを備えるステップと、
少なくとも部分的に前記側面末端フラップの主要パネルを重ね、少なくとも部分的に前記取っ手を形成するため、前記強化パネルを上向きに折り畳むステップと、
を備える前記方法。
【発明の詳細な説明】
【関連特許の相互参照】
【０００１】
本出願は、２００５年１１月８日に申請した米国仮出願第６０／７３４，５０４号の利益を主張するものであり、その全体の内容は参照することにより、その全体内で本願に提示されているかのように本願に含まれる。
【技術分野】
【０００２】
発明の背景
本発明は、概して飲料容器またはその他の型の物品を持ち上げ、取り出すためのカートンに関連する。より具体的には、本発明は強化取っ手を有するカートンに関する。
【背景技術】
【０００３】
物品を持ち上げ、運び、または取り出すために使用される板紙カートンなどのカートンは、よく知られている。これらのカートンは、大抵、目的とする特徴および特性を実現するため、選択された領域内で切り取り、穴を開け、折り目を付けた板紙カートンの空白箇所を折り畳むことにより、形成または組み立てられる。これらの機能部は、ミシン目、取っ手、開口部目印、取り出し口、およびその他のよく知られた特質を含む。例えば、かかる取っ手の特徴部は、上部パネル、またはその代わりとしてカートンの末端に形成することができる。これらの取っ手により、穴またはその他開口部を画定し、取っ手を介して積まれたカートンを都合よく運ぶことができるように、使用者が取っ手をつかめるようにすることができる。
【０００４】
板紙カートンブランクからキャリアまたはカートンを製作する際、ブランクの相対する末端を糊または機械式ロックによりお互いを取り付け、運搬装置の底部パネルを形成するのが一般的である。末端フラップは幾つかまたは全てのパネルの側面に含まれ、内部で折り畳まれ、カートンの末端を閉じ、その内側に飲料容器などの物品を入れる。これらの末端フラップは開口部または取り出特徴部を含めることができ、あるいはカートンを運ぶための取っ手を含むことができる。例えば、取っ手開口部によりカートンの板紙またはその他材料が弱くなりおよび／または破れる際に、これらの取っ手はしばしば問題を作り出す。
【発明の開示】
【０００５】
概して、本発明の一側面は、複数の物品を収容するためのカートンを対象とする。カートンは、カートンの内部に少なくとも部分的に延在する複数のパネルを備える。複数のパネルは、上部パネル、底部パネル、第１の側面パネル、および第２の側面パネルを備える。少なくとも２つの末端フラップはそれぞれ、複数のパネルのそれぞれのパネルに折り畳み可能なように取り付けられ、末端フラップはお互いに重なり、それによりカートンの閉端を少なくとも部分的に形成する。カートンは、カートンをつかみ運ぶための取っ手開口部を有する、カートンの閉端にある取っ手を含む。少なくとも２つの末端フラップのうち、少なくとも１つの末端フラップは、カートンの閉端を少なくとも部分的に閉じるための主要パネル、および主要パネルと連携し取っ手開口部を形成するため、主要パネルに折り畳み可能なように取り付けられる強化パネルを備える。
【０００６】
別の側面では、本発明は概して、カートンを形成するためのブランクを対象とする。ブランクは、上部パネル、底部パネル、第１の側面パネル、および第２の側面パネルを備える複数のパネルを備える。少なくとも２つの末端フラップはそれぞれ、複数のパネルのそれぞれのパネルに折り畳み可能なように取り付けられる。特徴部がが少なくとも２つの末端フラップにあり、該特徴部はブランクから組み立てられるカートン内で取っ手開口部を少なくとも部分的に画定するため、連携するためのものである。少なくとも２つの末端フラップのうち、少なくとも１つの末端フラップは、ブランクから組み立てられるカートンの閉端を少なくとも部分的に閉じるための主要パネル、および主要パネルに折り畳み可能なように取り付けられる強化パネルを備える。強化パネルおよび主要パネルは、取っ手開口部を少なくとも部分的に形成するためのそれぞれの特徴部を有する。
【０００７】
別の側面では、本発明は概して、カートンを組み立てる方法を対象とする。方法は、上部パネル、底部パネル、第１の側面パネル、および第２の側面パネルを備える複数のパネル、カートンの第１の末端で少なくとも１つの側面末端パネルに折り畳み可能なように取り付けられる少なくとも１つの側面末端フラップ、第１の末端で上部パネルに折り畳み可能なように取り付けられる少なくとも１つの上部末端フラップ、ならびに前記上部末端フラップおよび前記少なくとも１つの側面末端フラップで、少なくとも一部分において形成される取っ手を備えるカートンを提供するステップを備える。少なくとも１つの側面末端フラップは、カートンの閉端を少なくとも部分的に形成する主要パネル、および主要パネルに折り畳み可能なように取り付けられる強化パネルを備える。方法は、カートンの第１の末端を少なくとも部分的に閉じるため、少なくとも１つの側面末端フラップを折り畳むステップをさらに備える。方法は、取っ手を少なくとも部分的に形成するため、少なくとも部分的に第１の末端を閉じる間、側面末端フラップの主要パネルを少なくとも部分的に重ねるため、第２の強化パネルを上向きに折り畳むステップをさらに備える。方法は、カートンの第１の閉端を少なくとも部分的に形成するため、上部末端フラップを下向きに折り畳む位置で固定するステップをさらに備える。
【０００８】
別の側面では、本発明は概して、複数の物品を収容するためのカートンを対象とする。カートンは概して、複数のパネル、複数のパネルのそれぞれのパネルにそれぞれ折り畳み可能なように取り付けられる少なくとも１つの末端フラップ、およびカートンをつかみ運ぶための取っ手開口部を有する取っ手を備える。少なくとも１つの末端フラップは、主要パネルおよび主要パネルに折り畳み可能なように取り付けられる強化パネルを備える。
【０００９】
別の側面では、本発明は概して、カートンを形成するためのブランクを対象とする。ブランクは概して、複数のパネル、少なくとも１つの末端フラップ、および少なくとも１つの末端フラップに特徴部を備える。特徴部は、ブランクから組み立てられたカートン内で取っ手開口部を少なくとも部分的に画定するため、連携するためのものである。少なくとも１つの末端フラップは、主要パネルおよび主要パネルに折り畳み可能なように取り付けられる強化パネルを備える。
【００１０】
別の側面では、本発明は概して、カートンを組み立てる方法を対象とする。方法は概して、側面パネル、少なくとも１つの側面パネルに折り畳み可能なように取り付けられる少なくとも１つの側面末端フラップ、および少なくとも１つの側面末端フラップで、少なくとも一部分において形成される取っ手を備えるカートンを提供するステップを供える。少なくとも１つの側面末端フラップは、主要パネルおよび主要パネルに折り畳み可能なように取り付けられる強化パネルを備える。方法は、取っ手を少なくとも部分的に形成するため、主要パネルに少なくとも部分的に重なるように強化パネルを折り畳むステップをさらに備える。
【発明を実施するための最良の形態】
【００１１】
当業者は、以下に一覧で示す図を参照の上、続く実施形態の詳細な説明を読み、上に述べた利点およびその他の利点、ならびに様々なさらなる実施形態の利益を正当に認識するであろう。
【００１２】
通常の方法に従い、以下に述べる図の様々な特徴部は、必ずしも一定の縮尺で描かれてはいない。図内での様々な特徴部および要素の寸法は、本発明の実施形態をより明確に図示するため、拡大または縮小されている場合もある。
【００１３】
例示的実施形態の詳細な説明
一致する部品は、すべての図を通して、一致する参照番号により示される。
【００１４】
本発明は概して、容器、瓶、缶などの物品を収容するカートンに関する。物品は、例えば、食品および飲料製品を包装するために使用することができる。物品は、特定の食料または飲料品を包装するための組成に適する材料から作られることができ、材料はアルミニウムおよび／またはその他金属、ガラス、ＰＥＴ、ＬＤＰＥ、ＬＬＤＰＥ、ＨＤＰＥ、ＰＰ、ＰＳ、ＰＶＣ、ＥＶＯＨなどのナイロンプラスチック、など、またはそのいずれかの組み合わせを含むが、それらに限定されない。
【００１５】
本発明によるカートンは、いずれの形の物品をも入れることができる。以下の詳細な説明では、飲料容器（例えば、プラスチック飲料の瓶）がカートンの実施形態内に配置されるように説明されているのは、図解の目的のためであり、本発明の範囲を限定する目的ではない。この明細書では、用語「低」「底部」「上」および「上部」は、完全に組み立てられ、まっすぐ立てたカートンに対して決められる方向を指す。
【００１６】
図１は概して３で指し示される、ブランク内部側面１の平面図であり、本発明の例示的実施形態に従い、カートン５（図６および７）を形成するために使用される。カートン５は、容器Ｃ（図２）など複数の物品を収納するために使用することができる。カートン５は概して７（図６）で指し示される、取り出し口を有し、容器Ｃへアクセスできるようカートンに形成される。図解の実施形態では、カートン５は３ｘ６で配列する１段の１８個の容器Ｃを収納できる大きさであるが、カートン５は、２段以上でおよび／または異なる行／列の配列（例えば、１ｘ６、３ｘ５、２ｘ６ｘ２、３ｘ４ｘ２、２ｘ９、２ｘ６、３ｘ４など）の、異なるまたは同じ量の容器を収容するための大きさと形であってもよい。図解の実施形態では、カートン５は概して１１、１３で指し示される、カートンをつかみ運ぶための第１および第２の取っ手を含む。以下でより詳細に論じるように、取っ手１１、１３は、空白箇所３にある様々な特徴部から形成される。
【００１７】
ブランク３は、縦軸Ｌ１および横軸Ｌ２を有する。図解の実施形態では、ブランク３は、第１の横折り線２１で第１の側面パネル２０に折り畳み可能なように接続する底部パネル１０、第２の横折り線３１で第１の側面パネル２０に折り畳み可能なように接続する第１の上部パネル３０、第３の横折り線４１で底部パネル１０に折り畳み可能なように接続する第２の側面パネル４０、および第４の横折り線５２で第２の側面パネル４０に折り畳み可能なように接続する第２の上部パネル５０を備える。ブランク３は、本発明の範囲から逸脱することなく、単一の上部パネルのみを含むことも可能である。
【００１８】
底部パネル１０は、第１の底部末端フラップ１２および第２の底部末端フラップ１４に、折り畳み可能なように接続する。第１の側面パネル２０は、第１の側面末端フラップ２２および第２の側面末端フラップ２４に折り畳み可能なように接続する。第１の上部パネル３０は、第１の上部末端フラップ３２および第２の上部末端フラップ３４に折り畳み可能なように接続する。第２の側面パネル４０は、第１の側面末端フラップ４２および第２の側面末端フラップ４４に折り畳み可能なように接続する。第２の上部パネル５０は、第１の上部末端フラップ５６および第２の上部末端フラップ５８に折り畳み可能なように接続する。
【００１９】
上部および底部末端フラップ１２、３２、５６ならびに側面末端フラップ２２、４２は、ブランク３の第１の境界領域に沿って延在し、ブランクの全長に沿って延在する第１の縦折り線６２で折り畳み可能なように接続する。上部および底部末端フラップ１４、３４、５８および側面末端フラップ２４、４４は、ブランク３の第２の境界領域に沿って延在し、同様にブランクの全長に沿って延在する第２の縦折り線６４で折り畳み可能なように接続する。縦折り線６２、６４は、例えば、実質的に直線であるか、あるいは、空白箇所の厚みまたはその他因子を考慮して１つ以上の場所でずれてもよい。カートン５を組み立てる際には、上部および底部末端フラップ１２、３２、５６ならびに側面末端フラップ２２、４２によりカートンの第１の末端５１を閉じ、上部および底部末端フラップ１４、３４、５８ならびに側面末端フラップ２４，４４によりカートンの第２の末端５３を閉じる。本発明の代替実施形態に従うと、異なるフラップ配列を、カートン５の末端５１、５３を閉じるために使用することができる。
【００２０】
図解の実施形態では、第１の側面末端フラップ２２、４２各々は、それぞれの末端フラップの外側末端に形成される切り込み７４、７６を有する主要パネル７０、７２を備える。第１の側面末端フラップ２２、４２は、折り線８１、８３で、それぞれの主要パネル７０、７２に折り畳み可能なように取り付けられる強化パネル８０、８２を含む。縦スリット８４、８５により、それぞれの強化パネル８０、８２を、第１の側面末端フラップ２２、４２のそれぞれの主要パネル７０、７２から分離する。各強化パネル８０、８２は、それぞれの第１の側面末端フラップ２２、４２の外側末端に形成される切り込み８６、８８を有する。各第１の側面末端フラップ２２、４２は、それぞれの横折り線９３、９５に沿って、それぞれの主要パネル７０、７２に折り畳み可能なように接続される拡張パネル９２、９４を有する。第２の側面末端フラップ２４、４４は、形および構造において、第１の側面末端フラップ２２、４２に類似しており、図解を簡単にするために、同一の特徴部に同じ参照番号が与えられている。
【００２１】
取り出し口７は、重なる第１および第２の上部パネル３０、５０に形成される取り出し口パネル１０７を含み、取り出し口パネル１０７は、１０９として概して指し示されるミシン目に沿って、カートン５から分離可能であり、カートンに開口部（図示せず）を形成する。ミシン目１０９は、第１の上部パネル３０にある第１の部分１１１、および第２の上部パネル５０にある第２の部分１１３を指す。取り出し口７は、重なった第１および第２の上部パネル３０、５０に指パネル１１５を含み、指パネル１１５は取り出し口パネル１０７をつかむため、組み立てられたカートン５の内側に折り畳むことができる。取り出し口７は、指パネル１１５をつかみ、ミシン目１０９に沿って取り出し口パネル１０７を破くことによって開き、少なくとも部分的に取り出し口パネルを取り除き、カートン５内にある容器Ｃの上部分を曝し、カートンから容器を取り出すことができる。取り出し口７は、本発明の範囲から逸脱することなく、別の大きさ、形、および／またはカートン５の別の場所にあってもよい。さらに、取り出し口７は、本発明の範囲から逸脱することなく、カートン５から削除されてもよい。
【００２２】
図１に示すように、カートン５の第１の取っ手１１を形成する特徴部は、上部パネルの末端フラップ３２に形成され、折り線１３３で第１の上部パネル３０に折り畳み可能なように取り付けられる細長取っ手フラップ１３１を含む。図解の実施形態では、取っ手１１の特徴部は、取っ手フラップ１３１に隣接し、折り線１３８で上部パネルの末端フラップ１２に折り畳み可能なように取り付けられる細長快適パネル１３４を含む。折り線１３８は、上部パネルの末端フラップ３２において取っ手フラップ１３１を成するミシン目１４０の、それぞれの末端を接続する。図解の実施形態では、取っ手フラップ１３１は、フラップ１３１の幅に渡って延在する、間隔の空いた２つの斜め折り線１４２、１４４を含む。上部末端フラップ５６は、折り線１３９で上部末端フラップに折り畳み可能なように取り付けられる快適パネル１３７を含む。快適パネル１３７は、上部末端フラップ３７の快適パネル１３４に対応する大きさおよび形となっており、それにより、カートン５を形成するように第１および第２の上部パネル３０、５０が重なる際に、前記２つの快適パネルが重なるようになる。
【００２３】
第１の取っ手１１の特徴部は、それぞれ前記末端フラップ２２、４２における湾曲切り込み７４、７６、８６、８８をさらに含み、取っ手がカートンに取っ手開口部１３９（図７）を形成するようにされる際、細長取っ手フラップ１３１を内側に折り畳むことができる。図２〜５に示すように、前記取っ手１１の特徴部は、強化パネル８０、８２をも含み、それは、主要パネル７０、７２を重ね合わせ、強化パネルの切り込み８６、８８を主要パネルの切り込み７４、７６と合わせるため、折り線８１、８３に沿って上向きに折り畳まれるような形をなす。取っ手１１のさらなる特徴は、取っ手１１の切り込み７４、７６、８６、８８の上にある、上向きに折り畳まれた強化パネル８６、８８と重ねるため、それぞれの折り線９３、９５周辺で下向きに折り畳まれる拡張パネル９２、９４の位置決めである。取っ手フラップの上を押し、湾曲切り込み７４、７６、８６、８８の内側へ折り畳むことにより、取っ手１１を使用可能にし、カートン５に取っ手開口部１３９を形成するため、細長取っ手フラップ１３１は、ブランク３に形付けられ位置づけられる。開口部は、カートン５をつかむ間、使用者の指を挿入するために形作られる。快適パネル１３４、１３７は、使用者の手に適合するように形作られ、使用者の指が取っ手開口部１３９へ挿入される際、カートン５をつかむのに利用される。
【００２４】
図解の実施形態では、カートン５を閉じ、第１の取っ手１１がカートン５（図７）をつかむため使用可能にされる際、取っ手フラップ１３１を、さらに図８に示す位置から折り線１３３に沿って内側に折り畳み、側面パネルの末端フラップ２２、４２のそれぞれの上部分の内側表面と、対向して直面する関係となる。下向きに折り畳まれる拡張パネル９２、９４、および上向きに折り畳まれる強化パネル８０、８２は、カートンを取っ手でつかみ持ち上げる際、取っ手開口部１３９周辺の領域におけるカートンの不良を避けるための、さらなる強度を持つ第１の取っ手１１を提供する。第１の取っ手１１は、カートン５でその他の形および位置にあってもよく、本発明の範囲を逸脱することなく、本願に示していないまたは述べていないその他の特徴を含んでいてもよい。
【００２５】
第２の取っ手１３は、第２の取っ手をつかんで第２の末端５３でカートンを持ち上げることができるように、第１の取っ手１１と同一の特徴を有する。第２の取っ手の特徴部には、上述のように、第１の取っ手の特徴部に対するのと同じ参照番号が与えられている。第２の取っ手１３は、本発明の範囲から逸脱することなく、第１の取っ手の特徴と異なる特徴を有することも可能であり、または第２の取っ手を削除することもできる。
【００２６】
例示的実施形態に従い、折線２１、３１，４１、および５２に沿って折り、第１の上部パネル３０を第２の上部パネル５０に重ねて付着させ、スリーブ１４１（図２に部分的に閉じられて図示）を形成することにより、ブランク３をカートン５へと組み立てることができる。ブランク３は、本発明の範囲から逸脱することなく、多数の底部パネルおよび／または多数の側面パネルを有するよう、その他の方法で構成することができる。さらに、カートン５は、当該分野では周知の１次および２次固定機能を含むことができる固定機能を含むブランク３をによる巻き型カートンであってもよい。
【００２７】
一度ブランク３をスリーブ１４１へ形成すると、容器Ｃを第１の末端５１からカートン５に積んでもよく、それから側面末端フラップ２２、４２ならびに上部および底部末端フラップ３２、５６、１２を重ね接着することにより、第１の末端を閉じてもよい。次に、側面末端フラップ２４、４４ならびに上部および底部末端フラップ３４、５８、１４を重ね接着することにより、第２の末端を閉じてもよい。本発明の範囲から逸脱することなく、積み込みおよび閉口の代替ステップを使用することもできる。
【００２８】
図２〜６は、一例示的方法に従い、カートン５の第１の末端５１の閉口、および第１の取っ手１１の形成を図示する。図２の部分的に組み立てられる位置から、側面末端フラップ２２、４２の強化パネル８０、８２が、それぞれの折り線８１、８３で上向きに折り畳まれ、側面末端フラップ（図３）のそれぞれの主要パネル７０、７２と直面する関係となる。強化パネル８０、８２を上向きに折り畳むことにより、強化パネルのそれぞれに対する切り込み８６、８８を、主要パネル７０、７２のそれぞれ対応する切り込み７４、７６と合わせる。図４で示すように、底部末端フラップ１２を上向きに折り畳み、カートンの末端５１をさらに閉じる。次に、第１および第２の上部パネル３０、５０の重ねられた末端フラップ５６、３２を下向きに折り畳み、カートンの末端５１をさらに閉じる。図６に示すように、拡張パネルが拡張パネルの折り線および切り込み８６、８８の間で、上向きに折り畳まれた強化パネル８０、８２の部分に重なるように、重ねられた上部末端フラップ５６、３２を側面末端フラップ２２、４２の拡張パネル９２、９４に接続し、それぞれの横折り線９３、９５に沿って拡張パネルを下向きに折り畳む。それから、取っ手フラップ１３１を重ねられた取っ手切り込み８６、８８、７４、７６と合わせるため、重ねられた上部末端パネル３２、５６をさらに下向きに折り畳み、図６に示す位置で固定する。上向きに折り畳まれた強化パネル８０、８２は、糊などの接着剤で主要パネル７０、７２に固定することができる。さらに、下向きに折り畳まれた拡張パネル９２、９４を、糊などの接着剤で強化パネル８０、８２に固定してもよい。切り込み８６、８８、７４、７６上の上向きに折り畳まれた強化パネル８０、８２部分は、通常、主要パネル７０、７２および下向きに折り畳まれた拡張パネル９２、９４のそれぞれ対応する部分と、対向して直面して接する。下向きに折り畳まれた拡張パネル９２、９４は、通常、切り込み８６、８８、７４、７６の上の上向きに折り畳まれた強化パネル８０、８２の部分、およびパネル末端フラップ３２に重なり付着する上部パネルの末端フラップ５６と対向して直面して接する。
【００２９】
第１の取っ手１１は、細長取っ手フラップ１３１に対して押し、カートン５の閉端５１にある取っ手開口部１３９（図７）を作り出すことで、カートン５をつかむため使用してもよい。側面末端フラップ２２、４２の下向きに折り畳まれた拡張パネル９２、９４および上向きに折り畳まれた強化パネル８０、８２は、カートンを取っ手１１で持ち上げる際カートン５を強化するためのさらなる層となる素材を、取っ手開口部１３９の上に提供する。使用者の複数の指が、折り畳まれたパネル１２および側面末端パネル２２、４２の取っ手開口部１３９を通り抜けて置かれ、使用者の親指がカートン５をつかみ持ち上げるため上部パネル１０に置かれてもよいように、取っ手１１はカートンに形づくられ位置づけられる。拡張パネル６１、６３により、取っ手１１の上の領域のカートン５の強度および剛性が増大し、持ち上げる際カートンが破れまたはその他で機能しなくなることを避ける。
【００３０】
第１の取っ手１１と同じ特徴を有する第２の取っ手１３は、第１の取っ手と類似の様式でカートンの第２の末端５３に形成されてもよい。第２の取っ手１３は、同様に取っ手の特徴部により強化され、第２の取っ手によりつかみ持ち上げられる際、カートン５が破れまたはその他で機能しなくなることを避ける。
【００３１】
図解の実施形態では、カートン５の第２の取っ手１３は、実質的に取っ手１１に類似する機能部を含む。図解を簡単にするために、第２の取っ手１３の特徴部は、第１の取っ手１１の特徴部と同じ参照番号で指し示す。第２の取っ手１３は、取っ手が、カートン５の第２の末端５３において重ねられた末端フラップ１４、２４、３４、４４および５８に形成されるという点において、第１の取っ手１１と類似の様式で組み立てられる。
【００３２】
例えば、ンクは同様に、段ボール、硬化紙、またはカートンが本願に記載される本発明によるブランクは、コーティングされた板紙および類似の素材から形成されることができる。例えば、ブランクの内部および／または外部側面を、粘土塗装でコーティングすることができる。それから、粘土塗装を製品、広告、価格コーディング、およびその他情報または画像と共に一面に施してもよい。それから、ブランクをブランクに印刷される情報いずれをも保護するニスでコーティングしてもよい。例えば、ブランクは、片側または両側を防湿層でコーティングしてもよい。上で述べた実施形態に従い、通常の紙より重く、剛性を持たせるため、ブランクをキャリパーの板紙で構成してもよい。ブラように少なくとも一般的に機能できるのに適した特性を有するその他のいずれの素材など、その他の素材から構成されることもできる。ブランクを同様に、選択されるパネルまたはパネル部で、１つ以上の紙のような素材でラミネート加工またはコーティングすることもできる。
【００３３】
上に述べた本発明の実施形態に従い、折り線は必ずしも真っ直ぐである必要はないが、それに沿って折り曲がるよう機能する、弱体化する実質的な直線形状であることができる。より具体的には、本発明の範囲を狭める目的ではないが、折り線は、目的とする脆弱な線に沿って素材に潰された部分を作り出す、切れない刻み付けナイフなどで形成される線などの刻み線、目的とする脆弱な線に沿って素材内へ部分的に延在する切り込み、ならびに／あるいは目的とする脆弱な線に沿って素材内へおよび／または完全に素材を通り抜けて部分的に延在する一連の切り込みと、これらの特徴部の様々な組み合わせとを含んでもよい。
【００３４】
例としては、ミシン目は、目的とする脆弱な線に沿って素材内へ部分的に延在するスリット、ならびに／あるいは目的とする脆弱な線に沿って素材内へおよび／または完全に素材を通り抜けて部分的に延在する間隔の空いた一連のスリット、あるいは、これらの特徴部の様々な組み合わせを含むことができる。より具体的な例としては、刻み目（例えば、小さな何らかの橋掛けのような素材の１片）を、ミシン目を横切って素材に通常一時的に接続するための、隣接したスリットの間に画定するため、１つの型のミシン目は、わずかに間隔の空いた隣接するスリットを持ち、素材を完全に通り抜けて延在する、間隔の空いた一連のスリットの形をしている。ミシン目に沿って破く間に、刻み目は破壊される。刻み目は通常、ミシン目の比較的小さな割合を占め、その代わりとして、刻み目をミシン目から取り除き、つまり、ミシン目で裂いて、ミシン目を継続的な切り取り線にすることができる。すなわち、本発明の範囲内で、各ミシン目を継続的なスリットなどで置き換える。例えば、本発明から逸脱することなく、切り取り線は継続的なスリットであることができ、また、スリットより幅広でありうる。
【００３５】
上の実施形態を、カートンの実施形態を組み立てる間、糊で一緒に付着される１つ以上のパネルを有するというように説明してもよい。用語「糊」は、カートンパネルを所定の位置に固定するのによく使用される、あらゆる種類の接着剤を網羅することを意図する。
【００３６】
本発明の先の説明は、本発明の様々な実施形態を図示および説明する。様々な変更が、本発明の範囲を逸脱することなく、上の構造においてなされうるため、上の説明に包含されるか、または図に付随して示される事柄全ては、説明として解釈されるべきで、限定の意味ではないことを意味する。さらに、本発明の範囲は、特許請求の範囲内である上記の実施形態の様々な変更、組み合わせ、修正などに及ぶ。その上、開示は本発明の選択された実施形態のみを示し述べているが、本発明は様々なその他の組み合わせ、変更、環境において使用することができ、本願で説明したような本発明の概念の範囲内で、変化または変更することができ、上の教示とおよび／あるいは関連分野の技術または知識内に相応する。さらには、各実施形態のある特徴および特性を、本発明の範囲から逸脱することなく、本発明の図示されたおよび図示されない実施形態に選択的に置き換え適用してもよい。
【図面の簡単な説明】
【００３７】
【図１】本発明の第１の実施形態に従い、カートンを形成するために使用されるブランクの平面図である。
【図２】カートンの第１の末端およびカートン内に積まれた容器を示す、部分的に組み立てられた状態における、カートンの斜視図である。
【図３】第１の末端をさらに閉じた、カートンの斜視図である。
【図４】図３に類似の図であるが、さらに閉じられたカートンの第１の末端を示す。
【図５】さらに閉じられた第１の末端を示す拡大図である。
【図６】完全に閉じられた第１の末端を示す、カートンの斜視図である。
【図７】図６に類似の図であるが、カートンの第１の末端にある取っ手開口部を示す。
【図８】取っ手開口部を示す、カートン内部からの拡大部分図である。
【図１】
2009514756.tif 000002
【図２】
2009514756.tif 000003
【図３】
2009514756.tif 000004
【図４】
2009514756.tif 000005
【図５】
2009514756.tif 000006
【図６】
2009514756.tif 000007
【図７】
2009514756.tif 000008
【図８】
2009514756.tif 000009
【国際調査報告】
2009514756.tif 000010
2009514756.tif 000011
2009514756.tif 000012